(57)【要約】【課題】  舗装用ブロックを、１）上からかかる加重を分散して、１つのブロックにかかる荷重を小さくして、上下のずれを防止する、２）ブロックの1部が欠けたりすることを防止する、３）ブロックの敷設工事を容易にする、４）人が歩きやすくする、５）総合的に環境配慮したものとする。【解決手段】側断面において、中心点（１）に関して点対象であること、上面の隅の点（２−１）と下面の隅の点（３−１）を１つの直線で結ぶと、その線が垂直線となす角度（４−１）が２０度以上かつ４５度以下であること、および側断面の４つの隅部において２辺、あるいはその部分の辺に対する接線がなす角度（５−１，５−２）が８０度以上、かつ１００度以下であるブロックとする。【選択図】図１
2007154541.tif 000002
【特許請求の範囲】
【請求項１】
側断面において、中心点（１）に関して点対象であること、上面の隅の点（２−１）と下面の隅の点（３−１）を１つの直線で結ぶと、その線が垂直線となす角度（４−１）が２０度以上かつ４５度以下であること、および側断面の４つの隅部において２辺、あるいはその部分の辺に対する接線がなす角度（５−１，５−２）が８０度以上、かつ１００度以下であることを特徴とするブロック。
【請求項２】
請求項１において、側断面の上面の隅の点（２−１）と下面の隅の点（３−１）を結ぶ辺（６−１）の形状が直線の組み合わせからなることを特徴とするブロック。
【請求項３】
請求項１において、側断面の上面の隅の点（２−１）と下面の隅の点（３−１）を結ぶ辺（６−２）の形状が直線と曲線の組み合わせからなることを特徴とするブロック。
【請求項４】
請求項１において、側断面の上面の隅の点（２−２）と下面の隅の点（３−２）を結ぶ辺（６−３）の形状が曲線の組み合わせからなることを特徴とするブロック。
【請求項５】
側断面の上面の隅の点（２−１）と下面の隅の点（３−１）を結ぶ辺（６−１，６−２）の形状が、長辺および短辺の側断面とも同じであることを特徴とする請求項１，2、３および４のブロック。
【請求項６】
側断面の形状が、上面の隅の点（２−２）と下面の隅の点（３−２）を１つの直線で結んだ場合，その線が垂直線となす角度（４−２）が１０度未満で、かつ上面の隅の点（２−２）と下面の隅の点（３−２）を結ぶ辺（６−３，６−４）に凹あるいは凸があり、対応する辺（６−４，６−５）の形が平行移動すれば重なって同じになることを特徴とするブロック。
【請求項７】
請求項６において、凹あるいは凸部（７−１，７−２）がブロックの長辺および短辺の長手方向にそって変化しないことを特徴とするブロック。
【請求項８】
請求項６において、凹あるいは凸部（７−３，７−４）がブロックの長辺および短辺の長手方向にそって変化することを特徴とするブロック。
【請求項９】
ブロックの高さ方向の形状について、４面のうちの１つを垂直平面にしたことを特徴とする、請求項請求項１，２、３，４，６，７および８のブロック。
【請求項１０】
ブロックの高さ方向の形状について、４面のうちの２つを垂直平面にしたことを特徴とする、請求項請求項１，２、３，４，６，７および８のブロック。
【請求項１１】
上表面に突起部（８）を設けたことを特徴とする、請求項１，２、３，４，５，６，７
、8、9および１０のブロック。
【請求項１２】
樹木などの植物を燃焼させた時に生成する灰を重量で１０％以上、６０％以下配合した
ことを特徴とする請求項１，２、３，４，５，６，７、８、９，１０，１１および１２の
ブロック。
【請求項１３】
請求項１２において、古瓦を破砕したものを細骨材として重量で１０％以上配合したこ
とを特徴とするブロック。
【請求項１４】
請求項１２において、ゼオライトを細骨材として重量で１０％以上配合したことを特徴
とするブロック。
【請求項１５】
セメントを粘結材として、灰および細骨材を含むものを成形したことを特徴とする請求
項１，２、３，４，５，６，７、８、９、１０，１１，１２，１３および１４のブロック
の製造方法。
【請求項１６】
灰、ベントナイト、細骨材を含むものを成形して１０００℃以上、１３００℃以下で焼成したことを特徴とする請求項１，２、３，４，５，６，７、８、９、１０，１１，１２，１３および１４のブロックの製造方法。
【発明の詳細な説明】
【技術分野】
【０００１】
本発明は、車道、駐車場、散歩道、私道などの舗装用ブロックとして、上からかかる荷重を分散させることで安定して水平面を保つことができるとともに，敷設工事がしやすく、人が歩きやすく、かつ自然環境に調和することを特徴とするもの、およびその製造方法に関する。
【背景技術】
【０００２】
舗装用ブロックは、車道、駐車場、散歩道、私道などの表面の舗装に用いられ、人間があるきやすく、かつ目にも心地よいものにすることが目的である。表面については4角形だけではなく花形など特殊形状の組み合わせの形状のもインターロッキングブロックと呼ばれるものもあるが、側断面は、特許文献１、２などに見られるように側断面は垂直である。そのため、上からかかる力が1つのブロックだけにかかるので、ブロックの1部が沈むなどの現象をおこしやすい。
【特許文献１】特開平１１−１５２７０５号公報
【特許文献２】特開２００１−２７８６５１号公報また、特許文献３，４に見られるように、透水性や保水性を持たせて、環境や人間にやさしいものにしようというものがある。
【特許文献３】特開２００３−２３９２０７また、循環型社会形成のために、特許文献４に見られるように廃棄物やその焼却灰を原料として有効利用とするものもある。
【特許文献４】特開２００１−３１７００３  しかし、透水性や保水性を付与したり、あるいは焼却灰などを多量に加えると、ブロックの強度が低下しやすく、ブロック上面を安定して水平面を保つことがむつかしくなるという問題を伴う。
【発明の開示】
【発明が解決しようとする課題】
【０００３】
本発明が解決使用とする課題は次の４つである。
１）舗装用ブロックにかかる上からかかる加重を分散して、１つのブロックにかかる荷重を小さくして、上下のずれを防止する。
２）ブロックの1部が欠けたりすることを防止する。
３）ブロックの敷設工事を容易にする
４）人が歩きやすくする
５）総合的に環境配慮する。
【課題を解決するための手段】
【０００４】
本発明は上記の課題１）と2）の解決を両立させるための方法の第１が、本発明の請求項１に示す、側断面において、中心点（１）に関して点対象であること、上面の隅の点（２−１）と下面の隅の点（３−１）を１つの直線で結ぶと、その線が垂直線となす角度（４−１）が２０度（20°）以上かつ４５度以下であること、および側断面の４つの隅部において２辺、あるいはその部分の辺に対する接線がなす角度（５−１，５−２）が８０度以上、かつ１００度以下であることを特徴とするブロックにすることである。
【０００５】
これを具体的に実現する方法の１つ目が請求項２に示す、側断面の上面の隅の点（２−１）と下面の隅の点（３−１）を結ぶ辺（６−１）の形状が直線の組み合わせからなることを特徴とするブロックとすることである。また、その２つ目が請求項３に示す、側断面の上面の隅の点（２−１）と下面の隅の点（３−１）を結ぶ辺（６−２）の形状が直線と曲線の組み合わせからなることを特徴とするブロックとすることである。さらに、その３つ目が請求項４に示す、側断面の上面の隅の点（２−１）と下面の隅の点（３−１）を結ぶ辺（６−３）の形状が曲線の組み合わせからなることを特徴とするブロックとすることである。
【０００６】
上記の課題１）と2）の解決を両立させるための方法の第２が、本発明の請求項６に示す、側断面の形状が、上面の隅の点（２−２）と下面の隅の点（３−２）を１つの直線で結んだ場合，その線が垂直線となす角度（４−２）が１０度未満で、かつ上面の隅の点（２−２）と下面の隅の点（３−２）を結ぶ辺（６−３，６−４）に凹あるいは凸があり、対応する辺（６−３，６−４）の形が平行移動すれば重なって同じになることを特徴とするブロックとすることである。
【０００７】
これを具体的に実現する方法の１つ目が、請求項７に示す、凹あるいは凸部（７−１，７−２）がブロックの長辺および短辺の長手方向にそって変化しないことを特徴とするブロックとすることである。また、その２つ目が、請求項８に示す、凹あるいは凸部（７−３，７−４）がブロックの長辺および短辺の長手方向にそって変化することを特徴とするブロックとすることである。
【０００８】
上記の課題３）を解決するための第１に方法が、請求項５に示す、側断面の上面の隅の点（２−１）と下面の隅の点（３−１）を結ぶ辺（６−１，６−２）の形状が、長辺および短辺の側断面とも同じであることを特徴とするブロックとすることで、長辺、短辺の組み合わせを可能にすることである。また、第２の方法が、請求項９に示すブロックの高さ方向の形状について、４面のうちの１つを垂直平面にしたことを特徴とするブロックとすることで、舗装部の端の部分の厚さ方向の形を整えられるようにしたことである。さらに、第３の方法が、請求項１０に示すブロックの高さ方向の形状について、４面のうちの２つを垂直平面にしたことを特徴とするブロックとすることで、舗装部の隅の部分における厚さ方向の形を整えやすくしたことである。
【０００９】
上記の課題４）を解決するための第１の方法が、請求項１１に示す、上表面に突起部（８）
を設けたことを特徴とするブロックとすることである。また、その第２は、請求項１３に
示す、古瓦を破砕したものを細骨材として重量で１０％以上配合したことを特徴とするブ
ロックとすることであって、これによってブロックの通水性を改善できる。
【００１０】
上記の課題５）を解決するための第１の方法が、請求項１２に示す、樹木などの植物を
燃焼させた時に生成する灰を重量で１０％以上、６０％以下配合したことを特徴とするブロックとしたことである。これによって、ブロックを通る水を浄化するとともに、ブロック内部にある程度の保水性を持たせている。また、その第2の方法は、請求項１４に示すゼオライトを細骨材として重量で１０％以上配合したことを特徴とするブロックにしたことである。これによって、請求項１２に示すものにくらべてさらに水の浄化機能を高めることができる。
【００１１】
これらの諸課題を満足するブロックを、安定して、経済的に製造するための方法の第１
は、請求項１５に示す、セメントを粘結材として、灰および細骨材を含むものを成形した」
ことを特徴とするブロックの製造方法である。また、第２は、請求項１６に示す、灰、ベントナイト、細骨材を含むものを成形して１０００℃以上、１３００℃以下で焼成したことを特徴とするブロックの製造方法である。
【発明の効果】
【００１２】
このように、相反する要因も含むために従来の方法では十分に満足させることができなかった、車道、駐車場、散歩道、私道などの舗装用ブロックとしての諸課題を、本発明によって、満足させることが可能になる。
【発明を実施するための最良の形態】
【００１３】
本発明の目的に添ったブロックにするための第一の方法を、図1（ａ）で説明する。図1（ａ）はブロックの側断面を示すが、上面の隅の点（２−１）と下面の隅の点（３−１）をむすんだ直線と、垂直線となす角度（４−１）が第1の要件である。この値が大きいほど、隣接するブロックの接触面積が大きくなるため、上からかかる荷重を分散しやすくなる。しかし、同時に、２つのブロックが重なっている部分での各ブロックの厚みが薄くなり、上からの荷重のかかり方によっては脆性物であるブロックに割れを生じやすくなる。このような観点から実験を行って、この角度（４−１）が２０度未満だと、隣接するブロックの接触面積の増加効果が不十分であり、一方、４５度を越えると、重なった部分で割れ発生が増加するのでいずれも好ましくないことがわかった。したがって、この角度（４−１）の必要条件は、２０度以上かつ４５度以下であることが必要である。
【００１４】
第2の要件は、図1（ａ）に示す側断面において、側断面の４つの隅部において２辺、あるいはその部分の辺に対する接線がなす角度（５−１，５−２）である。この２つの角度は足せば１８０度になるが、いずれかが８０度未満であれば、角がかけやすくなることがわかった。したがって、角度（５−１，５−２）は８０度以上、かつ１００度以下であることが必要である。なお、隣接するブロックの組み合わせのために、側断面の各辺の形状が、中心点（１）に関して点対象であることが必要である。
【００１５】
図２には本発明の目的に適合しないものの例を示す。この場合のように、上面の隅の点（２−１）と下面の隅の点（３−１）を結ぶ辺（６−１、６−２）が１つの直線で形成されていると、角度に関する上記の2つの条件を同時に満足できないために、本発明の目的を達成することができない。
【００１６】
この角度の条件を満足する第一の方法は、側断面の上面の隅の点（２−１）と下面の隅の点（３−１）を結ぶ辺（６−１）の形状が直線の組み合わせからなるようにすることであって、図3は角度（５−１，５−２）が９０度で、上下の垂直部の長さが１５ｍｍで、第三の線はそれを結んだ場合を示している。また、図4は角度（５−１，５−２）が８０度の場合で、上面、下面から垂直距離が２０ｍｍとし、第三の線はそれを結んだ場合を示している。また、この角度の条件を満足する第二の方法は、図5に示すように、側断面の上面の隅の点（２−１）と下面の隅の点（３−１）を結ぶ辺（６−１）の1部が円弧にすることであえる。図5には、角度（５−１，５−２）が９０度で、この垂直線の長さが２２ｍｍとし、その２つを結ぶものとして、中点で交わる曲率半径（Ｒ）２０ｍｍの円弧の1部を２つ組み合わせたものを示す。この場合に、垂直線の部分の長さを２２ｍｍから０ｍｍの間に変えて、曲率半径をそれに応じて大きくしても、本発明の目的に適合する。
【００１７】
いずれも場合にも、図に３，４，５に示すように、側断面の上面の隅の点（２−１）と下面の隅の点（３−１）を結ぶ辺（６−１，６−２．６−３）の形状が、長辺および短辺の側断面とも同じであるようにすることによって、隣接するブロックを長辺側、短辺側のいずれとも組み合わせが可能にある。また、舗装面全体としてみた場合の端部の形を整えるためには、図８に示すように、３つの側断面については、上記の諸条件を満足するが、側面の１つを垂直にしたブロックを用いればよい。さらに、舗装面全体としての隅部については、図９に示すように、隣接する２つの側断面については、上記の諸条件を満足するが、他の２つの側面は垂直にしたブロックを用いればよい。
【００１８】
本発明の目的に添ったブロックにするための第二の方法を、図1（ｂ）で説明する。図1（ｂ）に示す側断面において、  側断面の形状が、上面の隅の点（２−２）と下面の隅の点（３−２）を１つの直線で結んだ場合，その線が垂直線となす角度（４−２）が１０度未満で、かつ上面の隅の点（２−２）と下面の隅の点（３−２）を結ぶ辺（６−３，６−４）に凹あるいは凸があり、対応する辺（６−３，６−４）の形が平行移動すれば重なって同じになるようにする。いいかえれば、左右の凸部と凹部は対応していて、隣接するブロックの凹部、凸部と組み合わさるようになっている。
これによって、隣接する２つのブロックの接触面積をふやすということと、ブロックの角がかけたりしないようにするということの２つの目的を達成することができる。その具体的な方法の１例を図６に示す。凹あるいは凸の部分は半球状で、短辺側では１つ、長辺側では２つ存在する。この場合には、側断面で見ると、凹あるいは凸部（７−１，７−２）がブロックの長辺および短辺の長手方向にそって変化することになる。
【００１９】
具体的な方法の別の例を図７に示す。半円柱状の凸部と、それに対応する凹部が設けられている。の場合には、側断面で見ると、凹あるいは凸部（７−１，７−２）がブロックの長辺および短辺の長手方向にそって変化しないことになる。なお、本発明の目的に添ったブロックにするための第二の方法の場合にも第一の方法で述べのと同じく、舗装面全体の端部用や隅部用には、側断面の１つ、あるいは隣接した２つを垂直面にしたブロックを用いればよい。
【００２０】
なお、前述のブロックのすべてに適用できることであるが、舗装の上面に図10に示すような突起をもうけることによって、歩きやすくすることができる。突起の高さは３ｍｍ、突起の形状はたとえば楕円状にすることが効果的である。
【００２１】
上記のようなブロックを形成する原料として、樹木などの植物を燃焼させた時に生成す
る灰を用いると、水の浄化と適度の保水の機能を期待できる。一方、灰の配合量が多すぎ
ると、ブロックの強度が低下する傾向がある。灰の配合量については、１０％（重量％）
未満では浄化・保水の効果が十分に発揮されない。一方６０％超では、本発明のようの隣
接したブロックに荷重を分配する場合でも、長期安定使用の点から強度が十分ではなくな
る。したがって、樹木などの植物を燃焼させた時に生成する灰を重量で１０％以上、６０％
以下配合することが適している。
【００２２】
水の浄化の機能を高めるにはゼオライトを加えることが有効である。この場合、ゼオラ
イトは細骨材の機能も兼ねることができる。添加量は１０％以上が必要である。
【００２３】
ブロックの通水性を高めるためには古瓦を破砕したものを細骨材と用いることが有効で
ある。この目的のためには、重量で１０％以上配合することが必要である。一方、その添
加が４０％を越えると、本発明のようの隣接したブロックに荷重を分配する場合でも、長
期安定使用の点から強度が十分ではなくなる。したがって、古瓦を破砕したものの配合量
は、１０％以上、４０％以下配合することが適している。
【００２４】
ブロックの成型方法の第一は、セメントを粘結材として、灰および細骨材を含むものを成形する方法である。この場合、セメント配合量は、３０％以上、７０％以下である。
第二の方法は、ベントナイトを添加して、焼成する方法である。この場合、ベントナイトは、１５％以上添加することが必要である。また、焼成温度としては１０００℃未満では、
強度が不十分で、一方、１３００℃超では変形が起こるので、１０００℃以上、１３００℃以下が適正である。
【実施例１】
【００２５】
形状については表１に示すもの、原料配合条件については表２に示すもの、成形方法については表３に示すものの組み合わせとして、各種のブロックを製造して各種の用途に使用した。
表1．ブロックの形状
（上表面はすべて、図10のように突起部を設けた）
2007154541.tif 000003
表2、原料の配合条件
2007154541.tif 000004
表3．成型方法
2007154541.tif 000005
【実施例２】
【００２６】
形状はＳ−１，Ｓ−８，Ｓ−９の三種ものを、原料配合がＭ−１とし、Ｐ−１で成型したものを、２ｍ×１０ｍ私道用舗装材として用いた。
【実施例３】
【００２７】
形状はＳ−２，Ｓ−１０，Ｓ−１１の三種で、原料配合がＭ−２として、Ｐ−２で成型したものを４×１５ｍの車道舗装材として用いた。
【実施例４】
【００２８】
形状はＳ−３，Ｓ−８，Ｓ−９の三種で、原料配合がＭ−３のものを、Ｐ−１で成型したもので、２０ｍ×２５ｍの駐車場舗装材として用いた。
【実施例５】
【００２９】
形状は、Ｓ−４，Ｓ−１２，Ｓ−１３の三種で、原料配合がＭ−４のものを、Ｐ−１で成型して、２ｍ×１０ｍｍ私道用舗装材として用いた。
【実施例６】
【００３０】
形状は、Ｓ−５、Ｓ−１４，Ｓ−１５の三種で、原料配合がＭ−１のものを、Ｐ−１で成型して、２０ｍ×２５ｍの駐車場用舗装材として用いた。
【産業上の利用可能性】
【００３１】
本発明は、車道、駐車場、散歩道、私道などの舗装用ブロックとして用いることで、安定して水平面を保てるとともに通水性、保水性、すべり防止などの利便性と、灰、古瓦などの発生物の有効利用を可能にする。このほかに、河川や，用水路用にも用いることができる。
【図面の簡単な説明】
【００３２】
図中の数字の単位はｍｍである。
【図１】ブロックの（ａ），（ｂ）2種類の側断面図を示す。
【図２】荷重の分散は可能であるが、角が欠けやすいという欠点を有する舗装用ブロックの斜視図（ａ）、および側断面図（ｂ−１、ｂ−２）を示す。
【図３】隅の部分の断面角度を９０度にすることによって、荷重の分散と角が欠けることの防止を両立できるブロックの斜視図（ａ）、および側断面図（ｂ−１、ｂ−２）である。
【図４】隅の部分の断面の角度を８０度以上、９０度未満にすることによって、荷重の分散と角が欠けることの防止を両立できるブロックの斜視図（ａ）、および側断面図（ｂ−１、ｂ−２）を示す。
【図５】側断面の辺の１部を円弧にすることを特徴とする、荷重の分散と角が欠けることの防止を両立できるブロックの斜視図（ａ）、および側断面図（ｂ−１、ｂ−２）を示す。
【図６】側断面の１部に半球状の凸部と、それに対応する凹部を設けたことを特徴とする、荷重の分散と角が欠けることの防止を両立できるブロックの斜視図（ａ）、および側面図（ｂ−１、ｂ−２）を示す。
【図７】側断面の１部に半円柱状線状の凸部と、それに対応する凹部を設けたことを特徴とする、荷重の分散と角が欠けることの防止を両立できるブロックの斜視図（ａ）および側断面図（ｂ−１、ｂ―２）を示す。
【図８】４つの側面のうちの１つを垂直平面にした、端部用ブロック
【図９】４つの側面のうちの２つを垂直平面にした、端部用ブロック
【図１０】すべり止め防止の処置を施したブロックの表面俯瞰図（ａ）および側断面図（ｂ）である
【符号の説明】
【００３３】
ブロック側断面における中心点
２−１．２−２．ブロック側断面における上面の隅の点
３−１．３−２．ブロック側断面における下面の隅の点
４−１．４−２．ブロック側断面における上面の隅の点と下面の隅の点をむすぶ直線が、垂直線となす角度
５−１．５−２．ブロック側断面の４つの隅部においる２辺がなす角度、あるいはその部分での上面，下面と辺（６−１，６−２）に対する接線がなす角度
６−１．６−２．６−３，６−４；ブロック側断面の上面の隅の点と下面の隅の点を結ぶ辺をあらわす線
７−１．７−２；６−３，６−４の線上の凹あるいは凸部
８．      上表面の突起部
【図１】
2007154541.tif 000006
【図２】
2007154541.tif 000007
【図３】
2007154541.tif 000008
【図４】
2007154541.tif 000009
【図５】
2007154541.tif 000010
【図６】
2007154541.tif 000011
【図７】
2007154541.tif 000012
【図８】
2007154541.tif 000013
【図９】
2007154541.tif 000014
【図１０】
2007154541.tif 000015